(57)【要約】【課題】光コネクタアダプタなどのコネクタハウジングのコネクタ穴の奥側の被接続側光コネクタからの出射光をシャッターによって遮光する技術に関し、コネクタハウジングの大型化などの影響を与えること無く、シャッターを設置できる技術の開発が求められていた。【解決手段】組込用の本体部５１に遮光用のシャッター片５３Ａ、５３Ｂを軸支した構成のシャッターユニット１５を、コネクタハウジング１４のコネクタ穴１４ａ内に組み込む構成により、コネクタハウジング１４を大型化することなく遮光を実現する。また、複数のシャッター片５３Ａ、５３Ｂは、遮光位置にあるときにコネクタ穴１４ａを塞ぐように重なり合うため、コネクタ穴の防塵性も確保できる。【選択図】        図８
2004226664.tif 000002
【特許請求の範囲】
【請求項１】
光コネクタ（１６Ａ）が挿入、接続されるコネクタ穴（１４ａ、４６）内にて前記光コネクタと被接続側光コネクタ（１６Ｂ、４８、４９）とが接続されるようになっているコネクタハウジング（１４、４５ｈ）にシャッターユニット（１５、１５０、１５０Ａ、１５０Ｂ）が組み込まれており、
前記シャッターユニットは、前記コネクタハウジングに取り付けられる本体部（５１、１５１）と、コネクタ穴の内面付近にて前記本体部と連結されており、この本体部から前記コネクタ穴に突出するようにして配置されることで、前記被接続側光コネクタの先端に露出する光ファイバ（１９ａ）からの出射光を遮光する舌片状の前記シャッター片（５３、５３Ａ、５３Ｂ、１５３、１５３Ａ、１５３Ｂ）とを有し、
前記コネクタハウジングには、本体部との連結部（５２、１５２）を中心とする回転変位によって、前記連結部からコネクタ穴に突出する遮光位置と、前記コネクタ穴へ挿入した前記光コネクタによって前記コネクタ穴内への突出量を減少するように押し倒されて前記光コネクタの前記被接続側光コネクタに対する接続を可能とする待避位置とを切り替え自在として前記本体部に連結されている前記シャッター片が複数設けられており、
しかも、各シャッター片が前記遮光位置にあるときに、シャッター片同士がコネクタ穴を塞ぐように重なり合うことを特徴とするシャッター付き光コネクタ（１０、１０Ａ）。
【請求項２】
光コネクタ（１６Ａ）が挿入、接続されるコネクタ穴（１４ａ）内にて前記光コネクタと被接続側光コネクタ（１６Ｂ）とが接続されるようになっているコネクタハウジング（１４）に組み込まれる本体部（１５１）と、この本体部から前記コネクタハウジングのコネクタ穴に突出するようにして配置される舌片状のシャッター片（５３、５３Ａ、５３Ｂ）とを有し、
前記本体部は、前記光コネクタ及び／又は被接続側光コネクタが挿入可能な窓（５６）が形成されていて、この窓を前記コネクタ穴に連通させて前記コネクタ穴を横切る向きで前記コネクタハウジングに設けられる主板部（５４）と、この主板部の対向する両側から該主板部の一方の面の側に立ち上げるようにして張り出された一対の張り出し部（５５、５５Ａ、５５Ｂ）とを有し、
各張り出し部には、前記シャッター片が、該張り出し部との連結部を中心とする回転変位によって、前記連結部から一対の張り出し部間の空間（５７）に突出する遮光位置と、押し倒しによって前記連結部から主板部の側に延びる姿勢である待避位置とを切り替え自在として連結されており、
しかも、シャッター片が前記遮光位置から回転変位したときには、前記連結部自体あるいは該連結部とは別に設けられた弾性部材がシャッター片を前記遮光位置に押し戻す押し戻し用付勢部材（５８）として機能するようになっており、両側のシャッター片が前記遮光位置にあるときに、シャッター片同士がコネクタ穴を塞ぐように重なり合うことを特徴とするシャッターユニット（１５）。
【請求項３】
前記シャッターユニットが請求項２記載のシャッターユニットであることを特徴とする請求項１記載のシャッター付き光コネクタ。
【請求項４】
前記コネクタハウジングのコネクタ穴には、前記光コネクタと前記被接続光コネクタとの接続位置付近に、導電性を有する遮蔽部材（６０、１６０）が収納されており、前記遮蔽部材には、前記光コネクタ先端のフェルール及び／又は前記被接続側光コネクタ先端のフェルールが挿通可能な窓（６２、１６２）が形成されていることを特徴とする請求項１又は３記載のシャッター付き光コネクタ。
【発明の詳細な説明】
【０００１】
【発明の属する技術分野】
本発明は、光コネクタに係り、特に、光コネクタが挿入、接続されるコネクタハウジングにおいて、被接続側光コネクタからの出射光を遮光するシャッターが設けられているシャッター付き光コネクタおよびこのシャッター付きコネクタに用いられるシャッターユニットに関する。
【０００２】
【従来の技術】
図１８に示すように、例えば、光コネクタアダプタ１のコネクタ穴２に光コネクタ３（光コネクタプラグ）を挿入して、光コネクタアダプタ１に逆側から挿入接続されている光コネクタ４（光コネクタプラグ。以下「アダプタ側光コネクタ」と称する場合がある）に対して接続する場合、アダプタ側光コネクタ４先端からの出射光Ｈが、挿入側の光コネクタ３を操作する作業者の目に入らないように防護したい要求がある。同様の要求は、例えば、光コネクタレセプタクルなどの各種コネクタハウジングに対する光コネクタの挿入、接続に共通に存在する。
前述の要求に鑑みて、例えば、光コネクタアダプタ１のコネクタ穴２の開口部付近に、コネクタ穴２を開閉する蓋を取り付け、アダプタ側光コネクタ４からの出遮光を遮光することが幾つか提案されている（例えば特許文献１、２参照）。
【０００３】
【特許文献１】
特開平６−２０１９５３号公報
【特許文献２】
特開２００２−２４３９７８号公報
【０００４】
【発明が解決しようとする課題】
しかしながら、前述の蓋による遮光には、以下のような問題があった。
（１）多くのものは、光コネクタの挿入時に手動で開放操作する必要があり、この操作の手間が面倒である。
（２）光コネクタアダプタに開閉自在に取り付けるための構成が複雑であり、多数の部品によって構成されるものが多く、コストが高くなる。この場合、小型化が困難であり、光コネクタアダプタの大幅な設計変更、大型化が必要となる。
（３）前記（２）のように小型化が困難なことから、光コネクタアダプタの多心化、コネクタ取付穴の高密度化、小型化に対応できない。
【０００５】
また、近年、電気、電子機器について電磁波シールド性能の要求が高まっており、筐体内部の電子部品などが外部の電磁波の影響を受けないように保護したり、機器からの電磁波の放射を防止して外部の他の電気、電子機器に電磁波の影響を与えないようにするために、導電性を有する金属製筐体など、電磁波シールド性能を有する筐体の採用が普及しているが、図１９〜図２１に例示するように、光コネクタアダプタ１を筐体５の取付壁６に取り付けるには、光コネクタアダプタ１を挿入可能な大きさのコネクタ取付穴７を取付壁６に形成する必要がある。また、光コネクタアダプタ１としてはプラスチック製のものが広く用いられており、このようなプラスチック製の光コネクタアダプタ１をコネクタ取付穴７に挿入して取付壁６に取り付けた場合、筐体５が電磁波シールド性能を有するものであっても、コネクタ取付穴７の電磁波シールド性能を確保することができない。これに鑑みて、光コネクタアダプタ１の外側に導電性のカバーを取り付けることが検討されている。
【０００６】
しかしながら、例えば、この導電性のカバーを光コネクタアダプタ１のコネクタ穴２の開口部付近にまで設けることは、光コネクタアダプタ１に対する光コネクタ３の接続作業性の確保の点で事実上不可能であるため、結局、コネクタ取付穴７の電磁波シールド性を確保できない。このため、機器の筐体などの取付壁に形成されたコネクタ取付穴の電磁波シールド（遮蔽）を効果的に実現できる技術の開発が求められていた。なお、この電磁波シールドの問題も光コネクタアダプタに限定されず、例えば、光コネクタレセプタクルなど、光コネクタプラグが挿入接続される構成の各種光コネクタについても、取り付けのために取付壁にコネクタ取付穴を形成する場合に共通して生じる。
【０００７】
本発明は、前記課題に鑑みて、遮光用のシャッターの小型化、低コスト化が容易で、しかも、取り付け位置精度、取り付け安定性も確保でき、コネクタハウジングの小型化、高密度化（コネクタ取付穴の高密度化）を実現でき、また、機器の筐体などの取付壁に形成されたコネクタ取付穴に位置決めして取り付けることで、コネクタ取付穴の電磁波シールド性の確保も容易に実現できるシャッター付き光コネクタの提供を目的としている。
【０００８】
【課題を解決するための手段】
上記課題を解決するために、本発明では以下の構成を提供する。
本発明では、光コネクタが挿入、接続されるコネクタ穴内にて前記光コネクタと被接続側光コネクタとが接続されるようになっているコネクタハウジングに、前記被接続側光コネクタから出射される光を遮光するシャッターユニットが組み込まれており、前記シャッターユニットは、前記コネクタハウジングに取り付けられる本体部と、コネクタ穴の内面付近にて前記本体部と連結されており、この本体部から前記コネクタ穴に突出するようにして配置されることで、前記被接続側光コネクタの先端に露出する光ファイバからの出射光を遮光する舌片状の前記シャッター片とを有し、前記コネクタハウジングには、本体部との連結部を中心とする回転変位によって、前記連結部からコネクタ穴に突出する遮光位置と、前記コネクタ穴へ挿入した前記光コネクタによって前記コネクタ穴内への突出量を減少するように押し倒されて前記光コネクタの前記被接続側光コネクタに対する接続を可能とする待避位置とを切り替え自在として前記本体部に連結されている前記シャッター片が複数設けられており、しかも、各シャッター片が前記遮光位置にあるときに、シャッター片同士がコネクタ穴を塞ぐように重なり合うことを特徴とするシャッター付き光コネクタを提供する。
また、本発明では、光コネクタが挿入、接続されるコネクタ穴内にて前記光コネクタと被接続側光コネクタとが接続されるようになっているコネクタハウジングに組み込まれる本体部と、この本体部から前記コネクタハウジングのコネクタ穴に突出するようにして配置される舌片状のシャッター片とを有し、前記本体部は、前記光コネクタ及び／又は被接続側光コネクタが挿入可能な窓が形成されていて、この窓を前記コネクタ穴に連通させて前記コネクタ穴を横切る向きで前記コネクタハウジングに設けられる主板部と、この主板部の対向する両側から該主板部の一方の面の側に立ち上げるようにして張り出された一対の張り出し部とを有し、各張り出し部には、前記シャッター片が、該張り出し部との連結部を中心とする回転変位によって、前記連結部から一対の張り出し部間の空間に突出する遮光位置と、押し倒しによって前記連結部から主板部の側に延びる姿勢である待避位置とを切り替え自在として連結されており、しかも、シャッター片が前記遮光位置から回転変位したときには、前記連結部自体あるいは該連結部とは別に設けられた弾性部材がシャッター片を前記遮光位置に押し戻す押し戻し用付勢部材として機能するようになっており、両側のシャッター片が前記遮光位置にあるときに、シャッター片同士がコネクタ穴を塞ぐように重なり合うことを特徴とするシャッターユニット（以下、このシャッターユニットを、一括組込型シャッターユニットと称する場合がある）を提供する。
なお、本発明に係るシャッター付き光コネクタに適用するシャッターユニットとしては、一括組込型シャッターユニットに限定されず、例えば、図に示すように、コネクタハウジングに取り付けられる本体部（ブラケット）にシャッター片が１枚のみ連結されている構成のシャッターユニット（以下、このシャッターユニットを、分割組込型シャッターユニットと称する場合がある）も採用可能である。分割組込型シャッターユニットを採用する場合は、コネクタハウジングに複数組み込んで、重ね合わせによってコネクタ穴を塞ぐことができるシャッター片の組を構成する。
【０００９】
この発明に係るシャッター付き光コネクタのコネクタハウジングは、例えば、光コネクタアダプタのように、対向する両側から挿入、接続された光コネクタプラグ同士が内部で接続される構成のものや、コネクタ穴への光コネクタプラグの挿入によって光コネクタプラグと光接続される光コネクタ（光コネクタフェルールなど）を内蔵する光コネクタレセプタクル等、光コネクタプラグが挿入、接続されるコネクタ穴を有する光コネクタである。
シャッター片は、被接続側光コネクタからの出射光を遮光できる遮光性を有するものであり、コネクタ穴の軸方向に対して傾斜させて（傾斜角度９０度も含む）本体部から延出されることで、コネクタ穴内にて、コネクタハウジング内の被接続側光コネクタからの出射光を遮光可能に配置される。シャッター片は、被接続側光コネクタからの出射光を遮光する位置（以下、「遮光位置」とも言う。）に配置される。本発明では、コネクタハウジング内に配置される複数のシャッター片の内、少なくとも一方が遮光位置に配置されることで、遮光を満足する。
【００１０】
被接続側光コネクタとは、光コネクタアダプタ（コネクタハウジング）においては、コネクタ穴への光コネクタの挿入前に、先行してコネクタ穴に挿入されている光コネクタプラグのことを指し、コネクタ穴への光コネクタの挿入によって、コネクタ穴内で光コネクタと接続される。光コネクタレセプタクル（コネクタハウジング）においては、例えば、図１７（ａ）、（ｂ）に示すように、光コネクタレセプタクル４５ａ、４５ｂのハウジング４５ｈに組み込まれてコネクタ穴４６奥側（図１７（ａ）、（ｂ）右側）に配置され、コネクタ穴４６に挿入された光コネクタ７が接続されるようになっている部分が被接続側光コネクタである。図１７（ａ）の光コネクタレセプタクル４５ａでは、ハウジング４５ｈと別体の光コネクタ４８であるが、これに限定されず、例えば図１７（ｂ）に示す光コネクタレセプタクル４５ｂのように、ハウジング４５ｈの一部をコネクタ状に成形した部分４９（この部分４８が被接続側光コネクタ）であっても良い。なお、図１７（ａ）、（ｂ）では、シャッターユニットの本体部の図示を省略している。
【００１１】
本発明では、シャッターユニットのシャッター片（図１７（ａ）、（ｂ）では符号４０）は、被接続側光コネクタ先端に露出する光ファイバに対面するようにして配置される。コネクタハウジングのコネクタ穴に光コネクタを挿入していくと、シャッター片は、光コネクタからの押圧力によって、コネクタ穴内への突出量を減少するように押し倒されてゆき、被接続側光コネクタに対する光コネクタの接続作業の障害にならない。
なお、本発明では、コネクタ穴から光コネクタが抜き去られたときに、シャッター片を遮光位置に復帰させる構成を採用するが、この構成（押し戻し用付勢部材）としては、例えば、シャッターユニットの構成部材の一部をバネ状に成形した部分（シャッター片自体、連結部自体をバネ状に成形した構成、シャッターユニットの本体部やシャッター片からバネ状に成形した突起など）、シャッターユニットに別途設けたバネ等の弾性部材、などが採用可能である。また、磁気吸着、光コネクタとの係脱自在な係合なども採用可能である。
【００１２】
本発明では、コネクタハウジング内に設けられた複数のシャッター片がいずれも遮光位置にあるとき、これらシャッター片によって、コネクタ穴全体が塞がれる（コネクタ穴がその断面方向ほぼ全体にわたって塞がれる）ようになっており、被接続側光コネクタからの出射光の確実な遮光を実現できるとともに、特にコネクタ穴の防塵性確保の点で有利である。
また、複数のシャッター片によってコネクタ穴をその断面方向（軸方向に直交する方向）ほぼ全体にわたって塞ぐ構成であれば、１枚のシャッター片の大きさを小さくすることが可能である。シャッター片は、光コネクタの押圧によるコネクタ穴内での移動（押し倒しや遮光位置への復帰）を可能にするために、コネクタ穴内の突起などとの干渉を回避する形状に形成される。小型のシャッター片であれば、コネクタ穴内での可動範囲の縮小が可能であり、コネクタ穴内の突起などの干渉を少なくできることから、コネクタ穴の断面全体をより確実に塞ぐ大きさに形成してコネクタ穴内の防塵性の向上を図る点で有利である。
【００１３】
また、この発明では、前記コネクタハウジングのコネクタ穴には、前記光コネクタと前記被接続光コネクタとの接続位置付近に、導電性を有する遮蔽部材が収納されており、前記遮蔽部材には、前記光コネクタ先端のフェルール及び／又は前記被接続側光コネクタ先端のフェルールが挿通可能な窓が形成されている構成も採用可能である。
遮蔽部材としては、例えば、一括組込型のシャッターユニットの主板部なども利用できるが、これに限らず、一括組込型のシャッターユニットの主板部に沿わせるようにして配置される板状あるいは駒状のもの、一括組込型以外のシャッターユニットが組み込まれているコネクタハウジングに内装される板状あるいは駒状のものなど、各種構成が採用可能である。なお、一括組込型のシャッターユニットと、これとは別体の遮蔽板部とを、コネクタハウジングに組み込む場合は、シャッターユニットの主板部の窓と遮蔽部材の窓とを連通させて、コネクタハウジング内での光コネクタと被接続側光コネクタとの接続が可能なようにする。
【００１４】
この構成のシャッター付き光コネクタは、例えば電気機器の筐体等の取付壁のコネクタ取付穴に位置決めして取付壁に取り付ける場合、遮蔽部材がコネクタ取付穴の電磁波シールド性を確保するための電磁波シールド部材として機能する。電磁波シールド性のより確実な確保の点では、遮蔽部材として、コネクタ取付穴を出来る限り広範囲にわたって塞ぐように配置できる寸法、形状のものを採用することが有利であることは言うまでも無い。また、この構成では、シャッター片など、シャッターユニットを構成するより多くの部材について、導電性を有する部材を採用して、電磁波シールド部材として機能させることが、コネクタ取付穴の電磁波シールド性の確保の点でより好ましい。遮蔽部材は、例えば、取付壁に設けられている導電性の部材や、取付壁自体が導電性を有する場合にはこの取付壁自体をグランドとして電気的に接続することで、電磁波シールド機能を効果的に発揮する。電磁波シールド性能（導電性）を有する遮蔽部材としては、例えばステンレス等の導電性の金属板から形成したものや、カーボンフィラー等の電磁波シールド性を有する粉体を混入した合成樹脂によって成形したもの、板材等の基材に導電性の塗料（例えば、電磁波吸収作用を持つ磁性金属粉を混入したペースト等）を塗布したもの、導電性繊維（金属繊維等）からなる導電性布帛を板材に固定したものなど、各種構成が採用可能である。シャッターユニットの構成部材の内、遮蔽部材以外の部材にも電磁波シールド性を有するものを採用する場合も、同様のものを採用できる。
【００１５】
遮蔽部材の窓は、光コネクタと被接続側光コネクタとの接続を可能にするためのものであるが、この窓は、電磁波シールド性の確保の点では、出来るだけ小さく形成することが好ましい。これにより、窓に相当する僅かな部分を除いて、コネクタ取付穴の大部分を覆うように遮蔽部材を配置できるため、コネクタ取付穴の防塵性および電磁波シールド性を効果的に確保できる。遮蔽部材に形成する窓は、少なくとも、前記光コネクタ先端のフェルール及び／又は前記被接続側光コネクタ先端のフェルールが挿通可能な大きさとすれば良い。
なお、ここで、光コネクタあるいは被接続側光コネクタの「フェルール」とは、ＭＰＯ形光コネクタやＳＣ形光コネクタ等の各種光コネクタプラグのハウジング先端に突出するフェルールの他、例えば、光コネクタプラグのハウジング先端に、合成樹脂製のハウジングと一体に形成されてフェルールとして機能する部分なども含まれる。
【００１６】
【発明の実施の形態】
以下、本発明の実施の形態を、図面を参照して説明する。
【００１７】
図１（ａ）〜（ｄ）は本発明の第１実施形態のシャッター付き光コネクタ１０の外観を示す図、図２は機器の筐体１１の取付壁１２（パネル）に対するシャッター付き光コネクタ１０の取付状態を示す図であって取付壁１２に開口されたコネクタ取付穴１３付近を示す断面図、図３は図２のシャッター付き光コネクタ１０の取付壁１２に対する取付状態を筐体１１外側から見た斜視図、図４は取付壁１２に形成されたコネクタ取付穴１３を示す斜視図、図５は図２のシャッター付き光コネクタ１０の取付壁１２に対する取付状態を筐体１１内側から見た斜視図、図６は本発明に係るシャッター付き光コネクタ１０を示す全体斜視図、図７（ａ）、（ｂ）はシャッター付き光コネクタ１０のコネクタハウジング１４の構造を示す断面図、図８はシャッター付き光コネクタ１０の内部構造を示す断面図、図９はシャッター付き光コネクタ１０の内部構造を示す断面斜視図である。
【００１８】
図８、図９に示すように、前記シャッター付き光コネクタ１０は、光コネクタアダプタを構成するコネクタハウジング１４の内部に、シャッターユニット１５と遮蔽部材６０（以下、遮蔽板とも称する）とを組み込んだ構成になっている。
【００１９】
図１（ａ）〜（ｄ）において、前記コネクタハウジング１４は、ＭＰＯ形光コネクタ（ＭＰＯ：Ｍｕｌｔｉｆｉｂｅｒ  Ｐｕｓｈ−Ｏｎ。例えばＪＩＳ  Ｃ  ５９８２、ＩＥＣ  １７５４−７発行に制定されるもの）の光コネクタアダプタである。このコネクタハウジング１４は、内部を貫通するコネクタ穴１４ａを有するスリーブ状の概略構造に形成されている。このコネクタハウジング１４は、一対のハウジング半体１４Ａ、１４Ｂを接合、一体化して組み立てられる。なお、コネクタハウジング１４のコネクタ穴１４ａは、一対のハウジング半体１４Ａ、１４Ｂを接合、一体化することにより、各ハウジング半体１４Ａ、１４Ｂのコネクタ穴１４ａ１、１４ａ２（ハウジング半体１４Ａ側のコネクタ穴に符号１４ａ１、ハウジング半体１４Ｂ側のコネクタ穴に符号１４ａ２を付す）が連続して形成される。
【００２０】
図７に示すように、各ハウジング半体１４Ａ、１４Ｂは、例えばプラスチックなどの合成樹脂によって形成された一体成形品であり、スリーブ状のハウジング本体部１４ｂと、このハウジング本体部１４ｂの軸方向一端から対向する両側に突設された突片１４ｃとを有している。そして、コネクタハウジング１４は、一対のハウジング半体１４Ａ、１４Ｂを軸方向に直列に接合、一体化して組み立てられるようになっている。なお、図７は、シャッターユニット１５や遮蔽板６０を組み込まずに、ハウジング半体１４Ａ、１４Ｂ同士を直接接合した状態を示す。
【００２１】
一対のハウジング半体１４Ａ、１４Ｂは、突片１４ｃが形成されている側の端部（ハウジング本体部１４ｂの軸方向一方の端部。以下、接合端面側の軸方向端部という場合がある）同士を接合して一体化されるようになっており、これにより、各ハウジング半体１４Ａ、１４Ｂの突片１４ｃ同士の重ね合わせによって構成された突片１４Ｃが軸方向中央部（コネクタ穴１４ａ軸方向）の対向する両側に突設されたコネクタハウジング１４が組み立てられる。
【００２２】
また、一対のハウジング半体１４Ａ、１４Ｂ同士を位置決めして一体化、固定する構成としては各種採用可能であるが、例えば、一対のハウジング半体１４Ａ、１４Ｂは、突片１４ｃが形成されている側の端面（接合端面１４ｉ）に形成されている嵌合突起（図示略）と、嵌合穴（図示略）との嵌合によって、コネクタ穴同士が連通するように位置決めした上、例えばネジ、クランプなどの機械的手段や、接着剤などを用いて、一体化状態に固定する。また、二つのハウジング半体１４Ａ、１４Ｂを一体化したときに、各ハウジング半体１４Ａ、１４Ｂの突片１４ｃに形成されているネジ穴１４ｖ（図２、図３等ではネジ穴１４ｖの図示を略している）を連通させ、これらネジ穴１４ｖにネジを挿通させて締め付け固定することによっても、ハウジング半体１４Ａ、１４Ｂの位置決め、一体化を実現できる。各ハウジング半体１４Ａ、１４Ｂの突片１４ｃのネジ穴１４ｖに連通させるネジは、ハウジング半体１４Ａ、１４Ｂを一体化して構成されるコネクタハウジング１４を、例えば図２、図３に例示した筐体１１の壁等の取付壁１２等に取り付けるための固定部材を兼ねさせることができる。
【００２３】
図１（ｃ）、（ｄ）、図７（ａ）、（ｂ）などにおいて、符号１４ｆは、コネクタハウジング１４内の係合爪（弾性爪）であり、コネクタハウジング１４に挿入、接続される光コネクタ１６Ａ、１６Ｂ（図３、図５参照。ここではＭＰＯ形光コネクタ（例えばＪＩＳ  Ｃ  ５９８２、ＩＥＣ  １７５４−７発行に制定されるもの）の光コネクタプラグ。以下、光コネクタ１６Ａ、１６Ｂについて共通の構成について説明する場合に、符号１６を付して説明する場合がある）のスリーブ状のハウジング１７の側部に形成されている係合部１７ｃ（図８、図９参照。係合突起）に係脱可能に係合する。ここでは、光コネクタ１６Ｂが、被接続側光コネクタとして機能させる光コネクタであり、以下、被接続側光コネクタ１６Ｂと称する場合がある。なお、ＭＰＯ形光コネクタプラグ同士を位置決めして接続するためのガイドピン１９ｃは、被接続側光コネクタ１６Ｂのフェルール１９に組み込まれている。
ここでは、光コネクタとして多心用のＭＰＯ形光コネクタの光コネクタプラグを例示するが、ここで採用可能なＭＰＯ形光コネクタプラグとしては単心用のものであっても良い。
【００２４】
前記係合爪１４ｆは、ハウジング半体１４Ａ、１４Ｂのハウジング本体部１４ｂに一体に形成されており、スリーブ状のハウジング本体１４ｂ内側のコネクタ穴に内面１４ｋからコネクタ穴１４ａ１、１４ａ２内に突出されている。各ハウジング半体１４Ａ、１４Ｂの係合爪１４ｆは、ハウジング半体１４Ａ、１４Ｂの接合端面１４ｉ側の軸方向端部から、コネクタ穴１４ａ軸方向において前記接合端面１４ｉとは逆の入口側（図７（ａ）、（ｂ）において、コネクタハウジング１４の左右両端部）に向けて、ハウジング本体部１４ｂ内面に沿って延びる形状になっている。また、この係合爪１４ｆのハウジング本体部１４ｂ内面に沿って延在する部分と、ハウジング本体部１４ｂ内面との間には、若干のクリアランス１４ｍが確保されている。
【００２５】
ＭＰＯ形光コネクタの光コネクタプラグである光コネクタ１６と各ハウジング半体１４Ａ、１４Ｂとは、コネクタハウジング１４（より具体的にはハウジング半体）に光コネクタ１６を挿入すると、光コネクタ１６のハウジング１７の側部の係合部に、ハウジング半体の係合爪１４ｆのハウジング本体部１４ｂからの突出先端の係合突起１４ｎが係合するとともに、この係合の解除を阻止してハウジング半体から光コネクタ１６が引き抜かれないようにするロックが掛かり、光コネクタ１６に付いているスライド片（カップリング１８）を引くと、ロックを解除させながら、コネクタハウジング１４（ハウジング半体）から光コネクタ１６を抜き去ることができる、スライドロック構造を構成する。
【００２６】
なお、係合爪１４ｆは、光コネクタ１６の種類や、ハウジング１７のサイズや、ハウジング１７の側部に形成されている係合部の形状などによって適宜変更される。
図２、図３、図５などでは係合爪１４ｆの図示を省略している。
また、符号１４ｇは、前記ハウジング１７の側部に突設されているキー１７ａが挿入されるキー溝である。このキー溝１４ｇの形成位置は、両ハウジング半体１４Ａ、１４Ｂで相対的に逆向きになっている。
ハウジング半体１４Ａ、１４Ｂの相違点は、一方のハウジング半体１４Ａの内部に形成されている軸挿入溝１４ｈ（図８、図１０参照）が、他方のハウジング半体１４Ｂには形成されていないことのみであり、他の構成は同様になっている。コネクタハウジング１４は、ハウジング１４Ａ、１４Ｂをキー溝１４ｇの向きが相対的に逆になるようにして、一体化して形成される。ハウジング半体１４Ｂの具体的構成は、被接続側光コネクタ１６Ｂが挿入、接続されたときに、係合爪１４ｆによって光コネクタ１６Ｂを係合保持でき、かつ、光コネクタ１６Ｂ先端に突出するフェルール１９が後述するシャッターユニット１５の主板部５４の窓５６に挿入されるように、光コネクタ１６Ｂを保持できるもの（あるいは、ハウジング半体１４Ａに挿入された光コネクタ１６Ａ先端のフェルール１９が窓５６に挿入されたときに、このフェルール１９の、光コネクタ１６Ｂのフェルール１９に対する接続を実現できる位置に、光コネクタ１６Ｂを保持できるもの）であればよく、特に限定は無い。
また、コネクタハウジングとしては、上述のように、光コネクタ（光コネクタプラグ）と係合する係合爪が、各ハウジング半体のハウジング本体部と一体成形されている構成に限定されず、例えば、ハウジング半体のスリーブ状のハウジング本体部とは別体のスリーブ状の内部ハウジングを収容し、この内部ハウジングに係合爪が形成されている構成なども採用可能である。
【００２７】
次に、図１１等を参照して、シャッターユニット１５（一括組込型のシャッターユニット）の構成について説明する。
図１１に示すように、シャッターユニット１５は、一枚の金属板から曲げなどの成形によって形成された本体部５１と、この本体部５１に枢着部５２によって回転自在に取り付けられた一対のシャッター片５３（一方のシャッター片に符号５３Ａ、他方のシャッター片に符号５３Ｂを付す）とを有して構成されている。枢着部５２は、本体部５１に対してシャッター片５３Ａ、５３Ｂを回転変位可能に連結する連結部を構成する。
【００２８】
前記本体部５１は、プレート状の主板部５４と、この主板部５４の対向する両側から、主板部５４に対してほぼ直角となるようにして張り出された舌片状の張り出し部５５Ａ、５５Ｂとを有している。一対の張り出し部５５Ａ、５５Ｂの主板部５４からの突出向き（張り出し方向）は、主板部５４に対して、同じ向き（つまり、主板部５４の同じ面の側）になっている。
また、シャッター片５３Ａ、５３Ｂは、各張り出し部５５Ａ、５５Ｂの主板部５４からの突出先端に設けられた枢着部５２（軸）によって枢着されているが、この枢着部５２を中心とするシャッター片５３Ａ、５３Ｂの回転は、シャッターユニット１５をコネクタハウジング１４（詳細にはハウジング半体１４Ａ）に組み込んだときに、コネクタハウジング１４のコネクタ穴１４ａの中心軸線に直交する向きの回転軸線を中心とするものである。また、シャッター片５３Ａ、５３Ｂと本体部５１との連結部（枢着部５２）は、コネクタハウジング１４のコネクタ穴１４ａの中心軸線を介して対向する両側となるところに位置している。また、各シャッター片５３Ａ、５３Ｂは、枢着部５２付近に組み込まれた弾性部材５８であるバネ（図１２にトーションバネを例示）の付勢力によって、枢着部５２から、一対の張り出し部５５Ａ、５５Ｂの間の空間５７に突出するように付勢されており、特に、外力が作用していないときでは、枢着部５２から空間５７に突出する一対のシャッター片５３Ａ、５３Ｂの先端部５３ａ同士が重なり合い、一枚の壁を形成するようになっている。
なお、バネ５８は、図１２以外の図面では図示を略している。
また、この実施形態では、シャッターユニット１５を構成する全ての部材、すなわち、本体部５１、枢着部５２、シャッター片５３Ａ、５３Ｂ、バネ５８は、導電性を有する部材で形成されており、互いに電気導通可能に接続されている。ここに例示する実施の形態では、本体部や、シャッター片として、導電性を有するステンレス板を成形して形成したものを例示する。
【００２９】
シャッターユニット１５は、ハウジング半体１４Ａに対して接合端面１４ｉの側から挿入して、ハウジング半体１４Ａ内に組み込むようになっている。
張り出し部５５Ａ、５５Ｂは、シャッターユニット１５をハウジング半体１４Ａに組み込んだ時に、それぞれ、ハウジング半体１４Ａのコネクタ穴１４ａ１、具体的には、コネクタ穴１４ａ１を、該コネクタ穴１４ａ１の中心軸線を介して対向する両側の内側部を拡張した部分である拡張部１４ｅ（図１０参照）に収納される。また、図１０に示すように、一方の拡張部１４ｅ（符号１４ｅ１）は、コネクタ穴１４ａ１を、該ハウジング半体１４Ａ内において光コネクタ１６Ａが収納される領域を超えてキー溝１４ｇの側に拡張した部分であり、他方の拡張部１４ｅ（符号１４ｅ２）は、コネクタ穴１４ａ１を該コネクタ穴１４ａ１において光コネクタ１６Ａが収納される領域を超えてキー溝１４ｇに対向する側に拡張した部分である。コネクタ穴１４ａ１の中心軸線を介して対向する両側となる位置にてハウジング本体部１４ｂに形成されている一対の係合爪１４ｆは、拡張部１４ｅの対の間に位置する。
なお、この実施の形態では、拡張部１４ｅ１、１４ｅ２を含めて（拡張部１４ｅの一部である軸挿入溝１４ｈ（後述）も含む）、コネクタ穴１４ａ１、１４ａ２と称している。
【００３０】
両拡張部１４ｅは、ハウジング半体１４Ａの接合端面１４ｉに開口しており、シャッターユニット１５は、接合端面１４ｉの側から、両張り出し部５５Ａ、５５Ｂを拡張部１４ｅに挿入していくようにして、コネクタ穴１４ａ１内に挿入して収納できる。
各拡張部１４ｅは、ハウジング半体１４Ａをコネクタ穴１４ａ１の軸方向に貫通して形成されている訳ではなく、ハウジング半体１４Ａにおける光コネクタ１６Ａの挿入口の側の端部（図８左側）にて、ハウジング半体１４Ａのコネクタ穴１４ａ１内面から突設された壁部１４ｊ（図７（ｂ）、図８等参照。突壁）が、拡張部１４ｅの最奥（接合端面１４ｉから見て、最も奥側）を塞ぐ壁部として機能している。この壁部１４ｊは、ハウジング半体１４Ａに挿入された光コネクタ１６Ａのハウジング１７を支持してぐらつきを防止する機能を果たす。
前記壁部１４ｊは、コネクタ穴１４ａ１の中心軸線を介して対向する両側に形成されており、この一対の壁部１４ｊの間には、ハウジング半体１４Ａに挿入される光コネクタ１６Ａのハウジング１７の断面形状とほぼ一致する形状の空間（この空間もコネクタ穴１４ａ、１４ａ１の一部）が確保されている。光コネクタ１６Ａのハウジング１７のキー１７ａが挿入される前記キー溝１４ｇは、一対の壁部１４ｊの内の一方（以下、符号１４ｊ１を付して説明する場合がある）に形成されている。他方の壁部１４ｊ（以下、符号１４Ｊ２を付して説明する場合がある）には、キー溝は形成されていない。壁部１４Ｊ１側の拡張部１４ｅ１に収納された張り出し部５５Ｂ、及び壁部１４Ｊ２側の拡張部１４ｅ２に収納された張り出し部５５Ａ、及び枢着部５２は、ハウジング半体１４Ａへの光コネクタ１６Ａの挿入時に光コネクタ１６Ａのハウジング１７に干渉しないようになっている。各拡張部１４ｅは、各壁部１４ｊ１、１４Ｊ２から、コネクタ穴１４ａ１の軸方向に沿って延在して、凹所１４ｏに開口する溝状に形成されている。各拡張部１４ｅは、コネクタ穴１４ａ１をその中心軸線を介して両側に拡張した形状になっている。
【００３１】
図１１に示すように、張り出し部５５Ａ、５５Ｂの両側には、枢着部５２である軸（以下、枢着部５２を軸とも言う）軸方向両端が突出されており（突出部５２ａ）、各突出部５２ａは、拡張部１４ｅの対向する両側が、ハウジング本体部１４ｂに溝状に切り込まれた部分である軸挿入溝１４ｈ（図８、図１０参照）に挿入される。図８に示すように、軸挿入溝１４ｈは、コネクタ穴１４ａ１の軸方向に沿って延在形成されており、接合端面１４ｉ側からコネクタ穴１４ａ１に挿入していくシャッターユニット１５は、各軸５２の突出部５２ａが軸挿入溝１４ｈの最奥部に突き当たるところで挿入限界となる。このとき、軸５２の突出部５２ａは、軸挿入溝１４ｈによってぐらつかないように安定支持される。また、シャッターユニット１５の両張り出し部５５Ａ、５５Ｂは、コネクタ穴１４ａ１の内、両側に拡張部１４ｅが形成されている部分の内面に接するようになり、コネクタ穴１４ａ１内に支持される。拡張部１４ｅは、コネクタ穴１４ａ１に収納したシャッターユニット１５を位置決めする位置決め溝としても機能する。
【００３２】
図８、図９に示すように、この実施形態では、遮蔽部材６０は、一方のハウジング半体１４Ａのコネクタ穴１４ａ１内に収納されたシャッターユニット１５の主板部５４に当接させて、コネクタ穴１４ａ内に収納される。遮蔽部材６０は扁平形状の部材（遮蔽板）であり、一対のハウジング半体１４Ａ、１４Ｂの接合境界に対応する位置に配置されて、各ハウジング半体１４Ａ、１４Ｂの接合端面１４ｉから窪んだ形状の凹所１４ｏに、それぞれ厚みの半分程度が嵌め込むようにして収納される。
遮蔽部材６０には、シャッターユニット１５の主板部５４とは逆の側から、ハウジング半体１４Ｂの端部１４ｄが当接されるようになっており、これにより、シャッターユニット１５と遮蔽部材６０とが、ハウジング半体１４Ｂによってコネクタ穴１４ａ１から抜け出ないように押さえ込まれるとともに、コネクタ穴１４ａ内でぐらつかないように安定収納される。なお、ハウジング半体１４Ｂの端部１４ｄは、遮蔽部材６０に対して、該遮蔽部材６０の主板部５４とは逆の側の端面６５の外周部に当接されるようになっており、光コネクタ１６同士の接続の障害にはならない。
【００３３】
前記本体部５１の主板部５４は、シャッターユニット１５をハウジング半体１４Ａ内に組み込んだ時には、コネクタ穴１４ａを横切るように配置される。また、遮蔽部材６０も、コネクタ穴１４ａを横切るように配置される。ただし、コネクタ穴１４ａは、この本体部５１の主板部５４の中央部に形成されている窓５６、及び、遮蔽部材６０に貫通して形成されている窓６２によって連通されており、シャッターユニット１５の主板部５４や遮蔽部材６０は、コネクタ穴１４ａに対向する両側から挿入して接続される光コネクタ１６Ａ、１６Ｂ同士の接続の邪魔にならない。このシャッター付き光コネクタ１０では、コネクタ穴１４ａに対向する両側から挿入された光コネクタ１６Ａ、１６Ｂの先端同士（具体的にはフェルール１９同士）が、丁度、前記遮蔽部材６０の窓６２付近で突き合わせ接続されるようになっている。
【００３４】
なお、図１１に示すように、シャッターユニット１５の主板部５４の窓５６には、光コネクタ１６Ａのハウジング１７が通過可能な大きさが確保されている。また、電磁波シールド性の確保の点では（後述）、前記窓５６は出来る限り小さくすることがより好ましく、図１１の例では窓５６はハウジング１７の断面形状と同様の形状で、ハウジング１７の断面形状よりも僅かに大きい寸法に形成されている。また、遮蔽部材６０の窓６２も、電磁波シールド性の確保の点で出来るだけ小さく形成することが好ましく、図８等に示した例では、光コネクタ１６Ａ、１６Ｂのフェルール１９を僅かなクリアランスを以て挿入可能（ハウジング１７は挿通不可能）な大きさに形成されている。
【００３５】
遮蔽部材６０は、ポリブチレンテレフタレート（ＰＢＴ）などの合成樹脂で一体成形された部材であり、ここでは、全体がカーボンフィラーなどの電磁波吸収作用を有する微細粉を含有した導電性樹脂による一体成形品を採用している。図８、図１１に示すように、この遮蔽部材６０は、コネクタ穴１４ａを横切るようにしてコネクタ穴１４ａ内に挿嵌される本体部６１と、この本体部６１の中央部に貫通して形成された窓６２とを有する。また、扁平形状の本体部６１の厚みの両側には、光コネクタ１６Ａ、１６Ｂのハウジング１７の先端部１７ｂが挿入される凹所６３（ハウジング半体１４Ａ側に配置される凹所に符号６３ａ、ハウジング半体１４Ｂ側に配置される凹所に符号６３ｂを付す）が形成されており、前記窓６２は、両側の凹所６３ａ、６３ｂの間を仕切るように形成されている壁部６４の中央部に開口されている。両側の凹所６３ａ、６３ｂは窓６２を介して連通されている。
【００３６】
コネクタハウジング１４に挿入された光コネクタ１６Ａは、ハウジング１７の先端部１７ｂが凹所６３ａに挿入されることで遮蔽部材６０によってぐらつかないように支持され、しかも、ハウジング１７先端部から突出するフェルール１９が、窓６２に挿入可能な位置に位置決めされる。光コネクタ１６Ａのハウジング１７のキー１７ａは、凹所６３ａに形成されているキー溝６６ａに挿入される。被接続側光コネクタ１６Ｂのハウジング１７の先端部１７ｂは、凹所６３ｂに挿入されることで遮蔽部材６０によってぐらつかないように支持され、しかも、ハウジング１７先端部から突出するフェルール１９が、窓６２に挿入可能な位置に位置決めされる。光コネクタ１６Ｂのハウジング１７のキー１７ａは、凹所６３ｂに形成されているキー溝６６ｂに挿入される。
また、図８、図９では、被接続側光コネクタ１６Ｂのフェルール１９が、遮蔽部材６０の窓６２に挿入されて、ハウジング半体１４Ａの側に突出して設けられている構成を例示しているが、これに限定されず、被接続側光コネクタ１６Ｂのフェルール１９の位置は、ハウジング半体１４Ａの側からコネクタハウジング１４に挿入した光コネクタ１６Ａ先端のフェルール１９との接続が可能な位置であればよく、窓６２からハウジング半体１４Ａの側に必ず突出させる必要性は無い。
【００３７】
前述した通り、シャッターユニット１５の前記枢着部５２は、ここでは、張り出し部５５Ａ、５５Ｂの主板部５４からの突出先端に取り付けられた軸であり、シャッターユニット１５をハウジング半体１４のコネクタ穴１４ａ１内に組み込んだ時には、丁度、コネクタハウジング１４のコネクタ穴１４ａの軸方向にほぼ直交する向きに配置される。したがって、この軸（枢着部５２）によって本体部５１に対して回転自在に枢着されるシャッター片５３Ａ、５３Ｂは、枢着部５２である軸（以下、枢着部５２を軸５２ともいう）と同じ向き、すなわち、コネクタハウジング１４のコネクタ穴１４ａに対してほぼ直交する回転軸線をもって回転自在に支持される。この軸５２は、張り出し部５５Ａ、５５Ｂ先端を筒状に湾曲成形した部分（軸保持部５５ａ）の内側に収納保持されている。シャッター片５３Ａ、５３Ｂも一部を筒状に湾曲成形した軸保持部５３ｂの内側に軸５２を収納して、軸５２回りに回転自在に軸支されている。
なお、張り出し部５５Ａ、５５Ｂは、主板部５４からの突出位置が異なるのみであり、以下、張り出し部５５Ａ、５５Ｂに共通の構成をいう場合に、符号５５を付して説明する場合がある。
【００３８】
図８、図１１に示すように、シャッター片５３Ａ、５３Ｂは、シャッターユニット１５の本体部５１から前記コネクタ穴１４ａに突出する舌片状の小板片である。
両シャッター片５３Ａ、５３Ｂは、いずれも遮光位置（後述）にあるときは、シャッター片５３Ａ、５３Ｂの先端部５３ａ同士が重なり合う。シャッター片５３Ａ、５３Ｂは、コネクタ穴１４ａに挿入された光コネクタ１６によって押圧されると、押し倒されて、待避位置（後述）に至るが、このとき、先端部５３ａ同士の重なりが解除される。コネクタ穴１４ａから光コネクタ１６が引き抜かれると、バネ５８（図１２参照）の付勢力によってシャッター片５３Ａ、５３Ｂが遮光位置に復帰し、再び、先端部５３ａ同士が重なり合う。前記バネ５８は、遮光位置から回転変位したシャッター片を遮光位置に押し戻す押し戻し用付勢部材として機能する。
なお、押し戻し用付勢部材としては、シャッターユニット１５の本体部５１の一部をバネ状に成形したものや、シャッター片５３の一部を板バネ状に加工したものなど、各種構成が採用可能である。
【００３９】
図８に示すように、シャッター片５３は、軸５２を中心とする回転によって、軸５２から主板部５４側に向けて斜めに若干傾斜する姿勢（図８実線に示すシャッター片５３Ａ、５３Ｂの位置。この位置を、以下「遮光位置」ともいう）と、張り出し部５５Ａ、５５Ｂとほぼ重ね合わされる姿勢（図８中想像線で示すシャッター片５３Ａ、５３Ｂの位置。以下、この位置を「待避位置」ともいう）とを切り替えることができる。
【００４０】
ただし、図１２に示すように、シャッター片５３Ａは、遮光位置（図１２実線で示す位置）では、前記ストッパ当接部５３ｃが張り出し部５５Ａの突出先端部の表面に突き当たることで、主板部５４に対する逆側（つまり、シャッター片５３Ａについては図８反時計回り）へのそれ以上の回転が規制される。このことは、シャッター片５３Ｂについても同様である（シャッター片５３Ｂについては、図８実線で示す遮光位置から時計回りの回転が規制される）。張り出し部５５の主板部５４からの突出先端部は、遮光位置から主板部５４に対する逆側へのシャッター片５３の回転を規制するストッパ５５ｂとして機能する。
遮光位置にあるシャッター片５３Ａ、５３Ｂは、バネ５８の付勢力によってストッパ当接部５３ｃに押し付けられるようになり、ぐらつかないように保持される。
【００４１】
なお、両シャッター片５３Ａ、５３Ｂが遮光位置にあるときは、シャッター片５３Ａ、５３Ｂの先端部５３ａ同士が重なり合うことで、コネクタ穴１４ａがその断面方向ほぼ全体にわたって塞がれるため、この状態では、例えば、図８に示すように、コネクタ穴１４ａの片側の開口部から先行して挿入接続された光コネクタ１６Ｂ先端（詳細には光コネクタ１６先端の接合端面１９ｂ。この光コネクタ１６Ｂを被接続側光コネクタとする）に露出する光ファイバ１９ａからの出射光が、コネクタ穴１４ａの反対側の開口部から飛び出ることを防止できる。したがい、例えば、シャッターユニット１５が収納されていないハウジング半体１４Ｂの開口部（図８の右側）からコネクタハウジング１４に光コネクタ１６Ｂを挿入した後、シャッターユニット１５が収納されているハウジング半体１４Ａの開口部（図８の左側）からコネクタハウジング１４に光コネクタ１６Ａを挿入接続する場合、光コネクタ１６Ａのコネクタ穴１４ａへの挿入、接続作業の際に、被接続側光コネクタからの出射光が邪魔になるといった不都合が無く、接続作業を効率良く行える。
【００４２】
また、このように遮光位置のシャッター片５３Ａ、５３Ｂ同士が重なり合って、コネクタ穴１４ａがその断面方向ほぼ全体にわたって塞がれた状態では、コネクタ穴１４ａにおける前記シャッター片５３と遮蔽部材６０との間に位置する区間への埃などの侵入を防止する防塵性を発揮するため、被接続側光コネクタ１６Ｂ先端（具体的にはフェルール１９の接合端面１９ｂ）が埃などの付着によって汚染されるなどの不都合を防止できる。
【００４３】
（コネクタ取付穴の電磁波シールドについて）
この実施形態のシャッター付き光コネクタ１０では、コネクタハウジング１４、遮蔽部材６０として導電性を有するものを採用したことにより、例えば、図２〜図４に例示した筐体１１の取付壁１２に取り付けた場合に、コネクタ取付穴１３の電磁波シールド性能を良好に確保できる。この実施形態では、電磁波シールド機能を有するコネクタハウジング１４、遮蔽部材６０として、カーボンフィラーを成形樹脂中に混入分散した合成樹脂材料によって成形したものを採用したが、これに限定されず、例えば、合成樹脂などからなる基材に導電性の塗料（例えば、電磁波吸収作用を持つ磁性金属粉を混入したペーストなど）を塗布して形成した導電性塗膜を有するもの、導電性繊維（金属繊維など）からなる導電性布帛を固定したものなども採用可能である。また、電磁波吸収作用を有する微細粉としては、カーボンフィラーに限定されず、各種材料が採用可能である。
【００４４】
この実施形態のシャッター付き光コネクタ１０では、特に、遮蔽部材６０が、コネクタ取付穴１３の電磁波シールド性の確保に有効に寄与する。遮蔽部材６０は、コネクタ穴１４ａをその断面方向にほぼ全体にわたって塞ぐようになっており、シャッター付き光コネクタ１０を取付壁１２のコネクタ取付穴１３に挿入して取付壁１２に取り付けたときに、コネクタ取付穴１３のほぼ全体を塞ぐように配置される。そして、遮蔽部材６０と接触して電気導通可能になっているコネクタハウジング１４や、コネクタハウジング１４に設けた接続回路などによって、遮蔽部材６０のグランドを確保しておくことにより、遮蔽部材６０を電磁波シールド用の部材として有効に機能させることができ、これにより、コネクタ取付穴１３の電磁波シールド性を確保できる。
【００４５】
また、このシャッター付き光コネクタ１０では、コネクタハウジング１４も電磁波シールド機能を有する部材として機能させることができるため、結果的に、フェルール１９外形よりも僅かに大きい程度の窓６２の部分を除いて、コネクタ取付穴１３の殆どの部分を電磁波シールド機能を有する部材によって塞ぐことができ、優れた電磁波シールド性が得られる。つまり、このシャッター付き光コネクタ１０が取付壁に取り付けられると、取付壁のコネクタ取付穴がシャッター付き光コネクタ１０によってほぼ隙間無く塞がれた状態となる。さらに、このシャッター付き光コネクタ１０では、シャッターユニット１５も導電性部材を採用したことにより、より高い電磁波シールド機能が得られる。
【００４６】
図１、図２中、符号２０で示すシールドカバーは、ハウジング半体１４Ｂの断面長方形状のハウジング本体部１４ｂ（図１（ｃ）参照）の４側面（周面）の内の３面に対して個別に装着される３つの側板部２０ａ、２０ｂ、２０ｃを有し、全体がステンレスなどの導電性の金属板で形成され、ハウジング半体１４Ｂを３方から取り囲むカバー状の部材である。このシールドカバー２０の３つの側板部２０ａ、２０ｂ、２０ｃは、ハウジング本体部１４ｂの３面に形成されている浅溝１４ｐに収納するようにして、ハウジング本体部１４ｂの外側に、位置ズレを生じないようにして装着される。このシールドカバー２０は、筐体１１との接触によって電気導通可能に接続されて、電磁波シールド性能を発揮するとともに、電磁波シールド性を有するコネクタハウジング１４と取付壁１２との電気導通のより確実な確保に寄与する。
【００４７】
このシャッター付き光コネクタ１０を取付壁１２に取り付けるには、このシャッター付き光コネクタ１０を筐体１１の外側（図２中、取付壁１２の左側）から、シールドカバー２０が取り付けられている側（ここではハウジング半体１４Ｂの側）を押し込み方向前側として取付壁１２のコネクタ取付穴１３に押し込んで（図２中、取付壁１２の右側へ向けて押し込む）、このシールドカバー２０の対向する両側に位置する側板部２０ｂ、２０ｃから外側に突出され係合爪２０ｄを弾性変形させつつ取付壁１２に通過させれば良い。係合爪２０ｄは取付壁１２を通過したところで弾性復帰して取付壁１２と係合する。これにより、係止爪２０ｄと突片１４ｃとの間に取付壁１２が挟み込まれて、シャッター付き光コネクタ１０が取付壁１２に対して安定に取り付けられると同時に、取付壁１２との電気導通が確保される。
【００４８】
なお、コネクタハウジング１４を介して遮蔽部材６０のグランドを確保する構成であれば、特別な接続回路等をシャッター付き光コネクタ１０に設ける必要が無くなるため、シャッター付き光コネクタの低コスト化に寄与する。また、シャッターユニット１５に、コネクタハウジング１４の外側に突出する通電用コンタクトを突設するなどによって、シャッターユニット１５をグランド用の接続回路として機能させることも可能である。
【００４９】
次に、本発明の第２実施形態を、図１３〜図１６を参照して説明する。
図１３に示すように、この実施形態のシャッター付き光コネクタ１０Ａは、コネクタハウジング内に組み込むシャッターユニット、遮蔽部材の構成が第１実施形態と異なる。
【００５０】
図１３、図１４に示すように、このシャッター付き光コネクタ１０Ａに適用するシャッターユニット１５０（分割組込型のシャッターユニット）は、コネクタハウジング１４内に固定される本体部１５１（以下、ブラケットとも言う）に、小板片であるシャッター片１５３を、本体部１５１との連結部（枢着部。ここでは軸１５２）によって本体部１５１に対して回転変位自在に連結した構成であり、コネクタハウジング１４のハウジング半体１４Ａに２つ組み込まれている。以下、図１３においてハウジング半体１４Ａの下部に設けられたシャッターユニット１５０に符号１５０Ａ、図１３においてハウジング半体１４Ａの上部に設けられたシャッターユニット１５０に符号１５０Ｂを付して説明する場合がある。また、シャッターユニット１５０Ａに設けられたシャッター片１５３に符号１５３Ａ、シャッターユニット１５０Ｂに設けられたシャッター片１５３に符号１５３Ｂを付して説明する場合がある。
なお、これらシャッターユニット１５０Ａ、１５０Ｂを構成する各部材は、導電性金属の曲げ等の成形によって形成したものであり、ここでは、ステンレス板から成形したものを例示する。
【００５１】
図１４、図１５に示すように、各シャッターユニット１５０Ａ、１５０Ｂのブラケット１５１は平板状の部材である。このブラケット１５１は、該ブラケット１５１を形成する金属板を筒状に成形した軸保持部１５１ａによって軸１５２を一端部（図１５（ａ）、（ｂ）左側）に収納支持している。一方、シャッター片１５３Ａ、１５３Ｂも、該シャッター片１５３Ａ、１５３Ｂを形成する金属板を筒状に成形した軸保持部１５３ｂによって軸１５２を収納しており、これにより、軸１５２を介してブラケット１５１に対して回転自在に連結されている。
【００５２】
軸１５２は、長手方向両端がブラケット１５１の両側に突出されている（突出部１５２ａ）。各シャッターユニット１５０Ａ、１５０Ｂをハウジング半体１４Ａに組み込むには、ハウジング半体１４Ａの接合端面１４ｉ側から、ブラケット１５１の両側の突出部１５２ａを拡張部１４ｅ（図１０（ａ）参照）の対向する両側の軸挿入溝１４ｈに挿入していく。シャッターユニット１５０Ａ、１５０Ｂは、ハウジング半体１４Ａに対して、軸１５２の突出部１５２ａが、ハウジング半体１４ａの壁部１４ｊに突き当たるところまで挿入される。これにより、コネクタハウジング１４のコネクタ穴１４ａの中心軸線を介して両側に、各シャッターユニット１５０Ａ、１５０Ｂの軸１５２が対向配置される。また、シャッターユニット１５０Ａ、１５０Ｂは、シャッター片１５３Ａ、１５３Ｂに対して連結されている一端部に対向する他端部１５１ｂが凹所１４ｏ内に突出されるようになっており、この他端部１５１ｂが、凹所１４ｏに嵌め込まれる遮蔽部材１６０によって凹所１４ｏ内壁面、すなわち、ハウジング半体１４Ａの壁部との間に挟み込むようにして固定される。これにより、シャッターユニット１５０Ａ、１５０Ｂは、ブラケット１５１の対向する両端部（一端部と他端部）がハウジング半体１４Ａ内に固定され、ブラケット１５１がぐらつかないように固定されて安定な収納状態が得られる。
【００５３】
図１３、図１４において、遮蔽部材１６０は、第１実施形態の遮蔽部材６０と同様に、カーボンフィラーを混入した合成樹脂によって形成した一体成形品であり、全体として扁平形状（遮蔽板）に形成されていることも遮蔽部材６０と同様である。また、この遮蔽部材１６０には、遮蔽部材６０の窓６２、凹所６３ａ、６３ｂ、壁部６４と同様に、窓１６２、凹所１６３ａ、１６３ｂ、壁部１６４が形成されている。但し、図１１に示すように、第１実施形態の遮蔽部材６０では、光コネクタ１６Ａ、１６Ｂのキー１７ａを挿入するためのキー溝６６ａ、６６ｂが、それぞれ壁部６４を貫通して両側の凹所６３ａ、６３ｂにわたって形成されているが（キー溝６６ａは凹所６３ａ内に位置する部分のみ、キー溝６６ｂは凹所６３ｂ内に位置する部分のみが、キー１７ａの挿入に利用される）、図１３、図１４に示すように遮蔽部材１６０では、キー１７ａが挿入されない部分へのキー溝の形成を省略している。
【００５４】
凹所１６３ａの周囲に存在する壁部の内、凹所１６３ａを介してキー溝１６６ａに対向する側は、シャッターユニット１５０Ａのブラケット１５１の他端部１５１ｂをコネクタハウジング１４の内面（具体的にはハウジング半体１４Ａの内面）に押し付け固定する固定壁１６７（図１３参照）として機能する。
また、凹所１６３ａの周囲に存在する壁部の内、キー溝１６６ａの側の壁部から突出されているリブ１６８ａは、シャッターユニット１５０Ｂのブラケット１５１の他端部１５１ｂをコネクタハウジング１４の内面（具体的にはハウジング半体１４Ａの内面）に押し付け固定する固定壁として機能する。
【００５５】
コネクタハウジング１４における遮蔽部材１６０の収納位置は、第１実施形態の遮蔽部材６０と同じであり、一対のハウジング半体１４Ａ、１４Ｂの接合端面１４ｉ側の凹所１４ｏに嵌め込むようにして収納され、各ハウジング半体１４Ａ、１４Ｂの凹所１４ｏの内面形状によってガタ付かないように安定保持される。遮蔽部材１６０はコネクタ穴１４ａを横切る向きで収納されるが、コネクタ穴１４ａは、光コネクタ１６Ａ、１６Ｂのフェルール１９が挿入可能な窓１６２を介して遮蔽部材１６０の両側に連通されており、また、この窓１６２によって、光コネクタ１６Ａ、１６Ｂ同士の接続が可能になっている。
【００５６】
ハウジング半体１４Ａ、１４Ｂを一体化して、コネクタハウジング１４内にシャッターユニット１５０Ａ、１５０Ｂ及び遮蔽部材１６０を収納すると、シャッターユニット１５０Ａのブラケット１５１の他端部１５１ｂに、遮蔽部材１６０の側面に突設されているリブ１６８ｂ（凹所１６３ｂの周囲の壁部の内、キー溝１６６ｂ側の壁部から突出されているリブ１６８ｂ）がハウジング半体１４Ｂの側から突き当てられ、これによりシャッターユニット１５０Ａのブラケット１５１は、いわば、遮蔽部材１６０と、ハウジング半体１４Ａの壁部１４ｊとの間に挟み込まれるようにして、ガタ付かないように安定収納される。一方、シャッターユニット１５０Ｂのブラケット１５１は、他端部１５１ｂに、ハウジング半体１４Ｂの接合端面１４ｉが突き当てられることで、これにより、いわば、両ハウジング半体１４Ａ、１４Ｂの間に挟み込まれるようにして、ガタ付かないように安定収納される。
【００５７】
なお、シャッターユニット１５０Ａ、１５０Ｂのブラケット１５１の他端部１５１ｂの固定力が、遮蔽部材１６０とハウジング半体１４Ａの内面（詳しくは凹所１４ｏ内面）との間の挟み込みや、この挟み込みと接着剤の併用等によって充分に得られる場合は、リブ１６８ｂやハウジング半体１４Ｂのブラケット他端部１５１ｂに対する突き当てを省略しても良い。また、リブ１６８ｂやハウジング半体１４Ｂのブラケット他端部１５１ｂに対する突き当てに代えて、遮蔽部材１６０に突き当て部を形成して、遮蔽部材１６０によって、ブラケット１５１をハウジング半体１４Ａに押さえ込む構成等も採用可能である。
【００５８】
ハウジング半体１４Ａへのシャッターユニット１５０Ａ、１５０Ｂの組み込みが完了すれば、シャッターユニット１５０Ａ、１５０Ｂのシャッター片１５３Ａ、１５３Ｂが、軸１５２を中心とする回転変位可能として、コネクタ穴１４ａ（詳細にはコネクタ穴１４ａ１）内に配置される。シャッターユニット１５０Ａ、１５０Ｂのシャッター片１５３Ａ、１５３Ｂの軸１５２を中心とする回転軸線の向きは、第１実施形態のシャッターユニット１５のシャッター片５３Ａ、５３Ｂと同じ、すなわち、コネクタハウジング１４のコネクタ穴１４ａの中心軸線に直交する方向であり、この回転軸線を中心とする回転によって、遮光位置（図１３実線の位置）と待避位置（図１３仮想線の位置）とを切り替えできることも、第１実施形態のシャッターユニット１５のシャッター片５３Ａ、５３Ｂと同じである。
【００５９】
また、それぞれ遮光位置にあるシャッター片１５３Ａ、１５３Ｂは先端部１５３ａ（軸１５２からの突出先端部）同士が重なり合うため、優れた遮光性、コネクタ穴１４ａの防塵性を確保できる点も、第１実施形態と同様である。各シャッターユニット１５０Ａ、１５０Ｂには、押し戻し用付勢部材としてのバネ（トーションバネ。図示略）が、軸１５２付近に組み込まれているから、コネクタハウジング１４に挿入、接続されていた光コネクタ１６Ａをコネクタハウジング１４から引き抜けば、押し戻し用付勢部材の付勢力によって、各シャッター片１５３Ａ、１５３Ｂが遮光位置に押し戻されてコネクタ穴１４ａを塞ぐように重なり合う状態に復帰し、コネクタ穴１４ａの防塵性が確保される。
【００６０】
図１６は、シャッター片１５３Ａのストッパ当接部１５３ｃと、ブラケット１５１のストッパ１５１ｃとの関係を示す拡大図である。図１６に示すように、シャッター片１５３Ａは、遮光位置（図１６実線の位置）では、該シャッター片１５３Ａから突出する突起であるストッパ当接部１５３ｃが、ブラケット１５１の一端部であるストッパ１５１ｃに突き当たるため、遮光位置から、被接続側光コネクタ１６Ｂから遠ざかる方向への回転（図１６では反時計回りの回転）が規制される。シャッターユニット１５０Ｂのシャッター片１５３Ｂについても、同様の構造により、遮光位置から、被接続側光コネクタ１６Ｂから遠ざかる方向への回転（図１３では時計回りの回転）が規制される。
【００６１】
このシャッター付き光コネクタ１０Ａによれば、被接続側光コネクタ１６Ｂからの出射光の遮光、防塵性の確保、取付壁１２に取り付けたときのコネクタ取付穴１３の電磁波シールド性の確保を、第１実施形態のシャッター付き光コネクタ１０と同様に実現できる。さらに、このシャッター付き光コネクタ１０Ａによれば、コネクタハウジング１４のコネクタ穴１４ａ（詳細には、ハウジング半体１４Ａのコネクタ穴１４ａ１）の中心軸線を介して両側に、シャッターユニット１５０Ａ、１５０Ｂを別々に組み込む構成であるから、コネクタハウジング１４のサイズ等に幅広く対応でき、コネクタハウジング１４に対する安定収納を容易に実現できる利点がある。また、コネクタハウジングに収納するシャッターユニットは、全て同様の形状である必要は無い。また、コネクタハウジングの構造等に対応して、組み込みが容易なシャッターユニットを選択使用することが可能であり、これにより、コネクタハウジングへの組み込みを容易にすることができる。
【００６２】
なお、本発明は、前述の実施形態に限定されず、各種変更が可能である。
例えば、シャッターユニットの具体的形状は、前述の実施形態に例示したものに限定されず、適宜設計変更可能である。
また、前記実施形態では、ＭＰＯ形光コネクタの光コネクタプラグ同士の接続に用いられる光コネクタアダプタへの適用例を例示したが、本発明はこれに限定されず、ＭＰＯ形光コネクタ以外の多心用、単心用の各種光コネクタプラグ同士の接続に用いられる光コネクタアダプタに適用可能である。また、光コネクタアダプタに限定されず、光コネクタプラグが挿入、接続されるコネクタ穴を有する各種光コネクタに適用可能である。
遮蔽部材として、例えば、前述した一括組込型のシャッターユニットの主板部を機能させることも可能である。この場合、シャッターユニットは主板部が、コネクタハウジングのコネクタ穴内における光コネクタ同士の接続位置付近となるように収納する。また、主板部には、光コネクタのフェルールが僅かなクリアランスを以て挿入可能な程度の大きさの窓を形成すれば良い。
シャッター付き光コネクタの取り付け対象の取付壁としては、機器の筐体の一部に限定されず、例えば、光配線盤などの架体において光コネクタアダプタなどの光コネクタを実装するためのパネルなど、各種構成が採用可能である。
シャッターユニットの本体部とシャッター片との連結部としては、軸等に限定されず、光コネクタからの押圧力により弾性変形可能な部材など、各種構成が採用可能である。
【００６３】
【発明の効果】
以上説明したように、本発明によれば、コネクタハウジング内に組み込んだシャッターユニットのシャッター片によって、被接続側光コネクタからの出射光を遮光できるため、被接続側光コネクタに対する別の光コネクタの接続作業を効率良く行える。これにより、コネクタハウジングの外側への遮光用の部材の設置を不要にできる。しかも、遮光用のシャッター片を回転変位自在に支持するシャッターユニットをコネクタハウジングのコネクタ穴への挿入によって組み込み構成であるため、コネクタハウジングの大型化を避けることが容易である。また、コネクタハウジングに光コネクタを挿入、接続していないときには、遮光位置にある複数のシャッター片が重なり合って、コネクタハウジングのコネクタ穴を塞ぐようになるため、コネクタ穴に優れた防塵性が確保され、被接続側光コネクタのフェルール等を汚染から保護できる等の利点がある。
さらに、この本発明のシャッター付き光コネクタによれば、コネクタハウジング内への遮蔽部材の組み込みによって電磁波シールド性を確保でき、取付壁のコネクタ取付穴に取り付けるだけで、コネクタ取付穴の電磁波シールド性を確保できる。しかも、遮蔽部材の窓を介して、光コネクタと被接続側光コネクタとの接続を実現できる。
【図面の簡単な説明】
【図１】本発明の第１実施形態のシャッター付き光コネクタの構造を示す図であって、（ａ）は平面図、（ｂ）は左側面図、（ｃ）は正面図、（ｄ）は右側面図である。
【図２】筐体の取付壁に対する図１のシャッター付き光コネクタの取付状態を示す図であって、取付壁のコネクタ取付穴付近を示す断面図である。
【図３】図２の取付状態を筐体外側から見た斜視図である。
【図４】取付壁に形成されたコネクタ取付穴を示す斜視図である。
【図５】図２の取付状態を筐体内側から見た斜視図である。
【図６】図１のシャッター付き光コネクタのシャッターユニットを示す全体斜視図である。
【図７】（ａ）、（ｂ）は、図１のシャッター付き光コネクタのコネクタハウジングを示す断面図である。
【図８】図１のシャッター付き光コネクタの構造を示す断面図である。
【図９】図１のシャッター付き光コネクタの構造を示す断面斜視図である。
【図１０】図１のシャッター付き光コネクタのコネクタハウジングの２つのハウジング半体の内、軸挿入溝が形成されているハウジング半体を示す図であって、（ａ）は断面図、（ｂ）は接合端面側から見た図である。
【図１１】図１のシャッター付き光コネクタのシャッターユニットと、遮蔽部材（遮蔽板）とを示す斜視図である。
【図１２】図１１のシャッターユニットのシャッター片のストッパ当接部と、張り出し部先端のストッパとの関係を示す拡大図である。
【図１３】本発明の第２実施形態のシャッター付き光コネクタの構造を示す断面図である。
【図１４】図１３のシャッター付き光コネクタのシャッターユニットと遮光部材（遮光板）とを示す斜視図である。
【図１５】図１４のシャッターユニットのシャッター片を示す図であって、（ａ）は平面図、（ｂ）は側面図である。
【図１６】図１１のシャッターユニットのシャッター片のストッパ当接部と、ブラケットのストッパとの関係を示す拡大図である。
【図１７】本発明に係るシャッター付き光コネクタを適用した光コネクタレセプタクルを示す断面図であり、（ａ）はコネクタハウジングに別体の被接続側光コネクタを組み込んだ構成、（ｂ）はコネクタハウジングと一体に被接続側光コネクタを形成した構成を示す。
【図１８】光コネクタアダプタを介した光コネクタプラグの接続を示す断面図である。
【図１９】機器の筐体の取付壁（パネル）に対する光コネクタアダプタの取付状態を示す斜視図である。
【図２０】図１９の取付壁に開口されたコネクタ取付穴を示す斜視図である。
【図２１】図１９の光コネクタアダプタの取付壁に対する取付状態を示す図であって、コネクタ取付穴付近を示す断面図である。
【符号の説明】
１０，１０Ａ・・・シャッター付き光コネクタ、１２・・・取付壁、１３・・・コネクタ取付穴、  １４・・・コネクタハウジング（光コネクタアダプタ）、１４ａ・・・コネクタ穴、１４Ａ，１４Ｂ・・・ハウジング半体、１５，１５０・・・シャッターユニット、１６，  １６Ａ・・・光コネクタ、１６Ｂ・・・被接続側光コネクタ、１９…フェルール、１９ｂ・・・接合端面、４０，５３，５３Ａ，５３Ｂ，１５３，１５３Ａ，１５３Ｂ・・・シャッター片、５２，１５２・・・連結部（枢着部、軸）、５５，５５Ａ，５５Ｂ…張り出し部、５６・・・窓、５７…空間、５８…押し戻し用付勢部材（トーションバネ）、６０，１６０・・・遮蔽部材（遮蔽板）、６２，１６２…窓。
【図１】
2004226664.tif 000003
【図２】
2004226664.tif 000004
【図３】
2004226664.tif 000005
【図４】
2004226664.tif 000006
【図５】
2004226664.tif 000007
【図６】
2004226664.tif 000008
【図７】
2004226664.tif 000009
【図８】
2004226664.tif 000010
【図９】
2004226664.tif 000011
【図１０】
2004226664.tif 000012
【図１１】
2004226664.tif 000013
【図１２】
2004226664.tif 000014
【図１３】
2004226664.tif 000015
【図１４】
2004226664.tif 000016
【図１５】
2004226664.tif 000017
【図１６】
2004226664.tif 000018
【図１７】
2004226664.tif 000019
【図１８】
2004226664.tif 000020
【図１９】
2004226664.tif 000021
【図２０】
2004226664.tif 000022
【図２１】
2004226664.tif 000023